(57)【要約】【課題】モータの回転により発生する音を低減することによって、カメラやビデオにおいて更なる異音の低減化を図る。【解決手段】本発明の光学装置（１）は、光学部材を駆動させるための駆動源（５）と、前記駆動源（５）と対向する板状部分(１０）と、前記駆動源（５）と前記板状部分(１０）との共鳴を防止する共鳴防止部（２２，２５，３０，４０）と、を含むことを特徴とする。【選択図】図２
2008224989.tif 000002
【特許請求の範囲】
【請求項１】
光学部材を駆動させるための駆動源と、
前記駆動源と対向する板状部分と、
前記駆動源と前記板状部分との共鳴を防止する共鳴防止部と、を含むことを特徴とする光学装置。
【請求項２】
請求項１に記載の光学装置であって、
前記共鳴防止部は、前記板状部分を、前記板状部分における前記駆動源が設けられた側と反対側に設けられた別部材に固定する固定部を有することを特徴とする光学装置。
【請求項３】
請求項２に記載の光学装置であって、
前記固定部は、前記板状部分の振動モードに対応した位置に配置されていることを特徴とする光学装置。
【請求項４】
請求項１〜３に記載の光学装置であって、
前記共鳴防止部は、前記駆動源と前記板状部分との間に配置された共鳴防止部材を有することを特徴とする光学装置。
【請求項５】
請求項１〜４に記載の光学装置であって、
前記共鳴防止部が、前記板状部分に設けられた貫通孔であることを特徴とする光学装置。
【請求項６】
請求項５に記載の光学装置であって、
前記貫通孔が複数設けられていることを特徴とする光学装置。
【請求項７】
請求項５又は６に記載の光学装置であって、
前記貫通孔に共鳴防止部材が挿入されていることを特徴とする光学装置。
【請求項８】
請求項４又は７に記載の光学装置であって、
前記共鳴防止部材が防振材であることを特徴とする光学装置。
【請求項９】
請求項４又は７に記載の光学装置であって、
前記共鳴防止部材が吸音材であることを特徴とする光学装置。
【請求項１０】
請求項４又は７に記載の光学装置であって、
前記共鳴防止部材が高比重材であることを特徴とする光学装置。
【請求項１１】
請求項１〜１０のいずれか１項に記載の光学装置であって、
前記板状部分が曲げ弾性率で２０００ｋｇ／ｍｍ２以上の材料で形成されていることを特徴とする光学装置。
【請求項１２】
請求項１〜１１のいずれか１項に記載の光学装置であって、
前記板状部分は、ポリアミド、ポリエーテルサルホン、液晶ポリマー、ポリフェニレンサルファイド、エチレン・ビニルアルコール共重合体、ポリエチレンナフタレート、ポリイミド、ポリブチレンテレフタレート又はポリエーテルエーテルケトンからなる群から選択される高剛性材料で形成されていることを特徴とする光学装置。
【請求項１３】
請求項１２に記載の光学装置であって、
前記高剛性材料に、ガラスファイバー又はカーボンファイバーからなる群から選択される強化繊維が添加されていることを特徴とする光学装置。
【請求項１４】
請求項１〜１３のいずれか１項に記載の光学装置を含む光学機器。
【発明の詳細な説明】
【技術分野】
【０００１】
本発明は、モータ等の駆動源を備えたレンズ鏡筒等の光学装置及びそれを備えた光学機器に関するものである。
【背景技術】
【０００２】
例えば、デジタルカメラやビデオカメラ等において、レンズを駆動するためにモータが使用される。モータが回転すると、モータ自身や駆動機構からの騒音のみならず、モータを固定する基板が振動することによって共鳴音も発生する。この共鳴音は、モータ自身や駆動機構から発生する音と共に動画撮影時において動画と共に録画され、再生時の異音となる。このため、これらの共鳴音を低減化する技術が存在する（例えば、特許文献１参照）。
【特許文献１】特開２００６−３４９８１９号公報
【発明の開示】
【発明が解決しようとする課題】
【０００３】
しかし、近年、カメラやビデオカメラにおいて異音の更なる低減化が求められている。そこで本発明は、モータの回転により発生するこれらの異音を更に低減することを目的とする。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、光学部材（４）を駆動させるための駆動源（５）と、前記駆動源（５）と対向する板状部分(１０）と、前記駆動源（５）と前記板状部分(１０）との共鳴を防止する共鳴防止部（２２，２５，３０，４０）と、を含むことを特徴とする光学装置（１）である。
請求項２に記載の発明は、請求項１に記載の光学装置（１）であって、前記共鳴防止部は、前記板状部分(１０）を、前記板状部分(１０）における前記駆動源（５）が設けられた側と反対側に設けられた別部材に固定する固定部(２５）を有することを特徴とする光学装置（１）である。
請求項３に記載の発明は、請求項２に記載の光学装置（１）であって、前記固定部(２５)は、前記板状部分(１０）の振動モードに対応した位置に配置されていることを特徴とする光学装置（１）である。
請求項４に記載の発明は、請求項１〜３に記載の光学装置（１）であって、前記共鳴防止部は、前記駆動源（５）と前記板状部分(１０）との間に配置された共鳴防止部材（３０）を有することを特徴とする光学装置（１）である。
請求項５に記載の発明は、請求項１〜４に記載の光学装置（１）であって、前記共鳴防止部が、前記板状部分(１０）に設けられた貫通孔(４０，４０ａ)であることを特徴とする光学装置（１）である。
請求項６に記載の発明は、請求項５に記載の光学装置（１）であって、前記貫通孔(４０ａ)が複数設けられていることを特徴とする光学装置（１）である。
請求項７に記載の発明は、請求項５又は６に記載の光学装置（１）であって、前記貫通孔(４０，４０ａ)に共鳴防止部材（３０）が挿入されていることを特徴とする光学装置（１）である。
請求項８に記載の発明は、請求項４又は７に記載の光学装置（１）であって、前記共鳴防止部材（３０）が防振材であることを特徴とする光学装置（１）である。
請求項９に記載の発明は、請求項４又は７に記載の光学装置（１）であって、前記共鳴防止部材（３０）が吸音材であることを特徴とする光学装置（１）である。
請求項１０に記載の発明は、請求項４又は７に記載の光学装置（１）であって、前記共鳴防止部材（３０）が高比重材であることを特徴とする光学装置（１）である。
請求項１１に記載の発明は、請求項１〜１０のいずれか１項に記載の光学装置（１）であって、前記板状部分(１０）が曲げ弾性率で２０００ｋｇ／ｍｍ２以上の材料で形成されていることを特徴とする光学装置（１）である。
請求項１２に記載の発明は、請求項１〜１１のいずれか１項に記載の光学装置（１）であって、前記板状部分(１０）は、ポリアミド、ポリエーテルサルホン、液晶ポリマー、ポリフェニレンサルファイド、エチレン・ビニルアルコール共重合体、ポリエチレンナフタレート、ポリイミド、ポリブチレンテレフタレート又はポリエーテルエーテルケトンからなる群から選択される高剛性材料で形成されていることを特徴とする光学装置（１）である。
請求項１３に記載の発明は、請求項１２に記載の光学装置（１）であって、前記高剛性材料に、ガラスファイバー又はカーボンファイバーからなる群から選択される強化繊維が添加されていることを特徴とする光学装置（１）である。
請求項１４に記載の発明は、請求項１〜１３のいずれか１項に記載の光学装置（１）を含む光学機器（２）である。
なお、符号を付して説明した構成は、適宜改良してもよく、また、少なくとも一部を他の構成物に代替してもよい。
【発明の効果】
【０００６】
本発明によれば、モータの回転により発生する異音を更に低減し、カメラやビデオにおいて更なるノイズの低減化を図ることができる。
【発明を実施するための最良の形態】
【０００７】
以下、図面を参照して、本発明の実施形態について説明する。なお、以下に示す各図には、説明と理解を容易にするために、ｘｙｚ直交座標系を設けた。この座標系では、撮影者が通常の状態でカメラを保持した状態でのカメラ位置（以下、この状態のカメラの位置を正位置という）において撮影者から見て右側に向かう方向をｘプラス方向とする。また、正位置において上側に向かう方向をｙプラス方向とする。更に、正位置において被写体に向かう方向をｚプラス方向とする。
【０００８】
［第１実施形態］
本発明の第１実施形態としてのレンズ鏡筒１について説明する。図１は第１実施形態のレンズ鏡筒１を備えるカメラ２の概略図である。図示するようにレンズ鏡筒１は、例えばデジタルスチルカメラ２の撮影用レンズ鏡筒１であって、モータ駆動によって焦点距離を変更するズームレンズ（図示せず）を内部に保持する筒状部４と、筒状部４を駆動することにより上述の焦点距離を変更するモータ５と、モータ５を筒状部４に取り付けるためのモータ支持部６と、を備える。なお、図１においてモータ支持部６及びモータ５は、周辺部分の構造を分かり易くするため、筒状部４から分解した形で示す。
【０００９】
筒状部４は、円筒状に形成され、カメラボディ２ａに対して固定される固定筒８と、固定筒８の内径側に挿入された可動筒９と、固定筒８の像側を覆う端面１０と、その端面１０に設けられた撮像素子取付部１１と、同様に固定筒の端面１０に設けられたモータ取付部１２と、を備える。
【００１０】
固定筒８及び可動筒９は、光軸に沿って略同心状に配置された筒体である。レンズ鏡筒１の沈胴状態と撮影状態との間の移行や焦点距離を変更するズーム動作に応じて、可動筒９が固定筒８に対して光軸方向に移動する。
【００１１】
端面１０は、固定筒８と一体形成された円板状の部分であり、光軸に対して直交するように配置されている。
【００１２】
撮像素子取付部１１は、端面１０の中央部に形成された矩形の開口１１ａを備え、撮影用レンズ群が結像した被写体像を電子的なデータとして取得する例えばＣＣＤ（Ｃｈａｒｇｅ−Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子が固定される。
【００１３】
図２は、端面１０におけるモータ取付部１２の周辺部の一部断面図である。図１及び図２に示すように、モータ取付部１２は、端面１０において、撮像素子取付部１１と隣接して設けられている。モータ取付部１２は、端面１０から光軸に沿って像側（図中ｚマイナス側）に突き出した壁部１２ａを備え、それら壁部１２ａによって、端面１０に沿った一方向側（モータ５側）及び像側にそれぞれ開口した３方を囲む直方体のボックス状に形成されている。壁部１２ａの像側端部における角部及びモータ側の先端には、モータ支持部６の固定に用いられる４つの支持部取付ネジ孔１４が形成されている。また、モータ取付部１２の内部には、図示しない動力伝達ギア部が設けられている。
【００１４】
モータ５は、レンズ鏡筒１のズーム駆動を行うものであって、例えば、ＤＣモータであって、その一方の端部の中心部からは駆動軸１６が突き出している。駆動軸１６は、モータ５の運転に伴ってその軸線を中心としてモータ５の本体に対して回転する。
【００１５】
モータ支持部６は、一枚の板材を断面とＬ字型に折り曲げて形成されている。そのＬ字型に折り曲げられたうちの一方の矩形部分の４角には、支持部取付孔１７が設けられており、モータ支持部６をモータ取付部１２に載置し、支持部取付孔１７から支持部取付ネジ孔１４に支持部取付ネジ１８を螺合することによりモータ支持部６は図２に示すようにモータ取付部１２に固定される。また、Ｌ字型に折り曲げられたモータ支持部６の他方の矩形部分の中央部には軸孔２０が設けられ、その軸孔２０には、上述したモータ５の駆動軸１６が挿入され、駆動軸１６は更にモータ取付部１２の内部に挿入されている。
【００１６】
図１に示すように、固定筒８から端面１０へ移行する角部の内側における１箇所には、略矩形の固定部材２２が、その一面２２ａを固定筒８の内面に当接させ、また他の一面２２ｂを端面１０の内面に当接させて配置されている。固定筒８及び端面１０における固定部材２２が当接する部分には、それぞれ固定部材取付孔２３が設けられている。また、固定部材２２における一面２２ａ及び他の一面２２ｂには、それぞれ固定部材取付ネジ孔２４（図２において他の一面２２ｂ側の固定部材取付ネジ孔２４のみ図示）が設けられている。そして、固定筒８及び端面１０の外側から、固定部材取付孔２３を貫通して固定部材取付ネジ孔２４に固定部材取付ネジ２５が螺合され、固定部材２２が固定筒８と端面１０とに固定されている。図２に示すように、端面１０側の固定部材取付ネジ２５は、端面１０におけるモータ５と対向する部分、すなわち図２においてモータ５の直下となる部分の略中央部に配置されている。
【００１７】
次に、第１実施形態のレンズ鏡筒１の動作について説明する。レンズ鏡筒１は、その沈胴状態と撮影状態との間の移行及びズーム動作を行う際に、モータ５を動作させて動力伝達ギア部等を介し、固定筒８に対する可動筒９の移動を行う。モータ５は、その内部に図示しないロータ（回転子）を備えており、このロータは不可避的に生じる重量アンバランス等に起因して、回転する際に振動が発生する。この振動は、従来技術によれば、モータ５と対向する端面１０に伝達される。しかし、端面１０におけるモータ５と対向する部分には、固定部材取付ネジ２５が設けられ、この固定部材取付ネジ２５によって端面１０は、固定筒８の側面にネジ止めされた固定部材２２に固定されている。このため、モータ５が振動しても端面１０が共鳴しにくく、端面１０より発生する共鳴音を低減することができる。
【００１８】
（第１実施形態の変形例）
第１実施形態は、上述の構成に限定されることなく、種々の変形や変更が可能である。
【００１９】
（１）例えば、第１実施形態では固定部材２２を固定筒８及び端面１０と別部材としたが、これに限定されず、図３で示すように、固定部材２２は固定筒８及び端面１０と一体的に製造してもよい。この場合、固定部材取付ネジ２５が不要となり、また固定部材２２を固定筒８及び端面１０に取り付ける手間が省ける。
【００２０】
（２）また、固定部材２２を取り付ける場所は、一箇所に限定されず、図４に示すように複数個所であってもよい。この場合、固定部材２２は、モータ５と対向する端面１０がモータ５の回転により振動する場合の振動モードに合わせて配置することができる。具体的には、端面１０が振動する場合におけるその振動の腹となる部分に固定部材２２を設けるとより、効果的に端面１０の共鳴を防止することができる。
【００２１】
［第２実施形態］
次に、本発明の第２実施形態としてのレンズ鏡筒について説明する。第２実施形態において、第１実施形態と同様な部分については、同一の符号を使用し、その説明を省略する。
【００２２】
図５は、第２実施形態における、モータ取付部１２周辺の断面図である。図示するように、第２実施形態では、第１実施形態と異なり、固定部材が設けられておらず、したがって固定部材と端面１０とを留める固定部材取付ネジも存在しない。第２実施形態においては、端面１０とモータ５との間にスポンジやウレタンフォーム等の発泡樹脂部材３０が配置されている。
【００２３】
第２実施形態においても、第１実施形態と同様に、モータ５は駆動されることにより振動する。しかし、端面１０とモータ５との間には発泡樹脂部材３０が介在しているため、モータ５の振動は対向する端面１０に伝達されにくく、端面１０の共鳴を低減することができる。
【００２４】
（第２実施形態の変形例）
第２実施形態は、上述の構成に限定されることなく、種々の変形や変更が可能である。
【００２５】
（１）第２実施形態では、モータ５と端面１０との間に発泡樹脂部材３０を配置したが、これに限定されない。例えば、共鳴防止効果を有するものであれば、グラスウールやロックウール等の繊維材料、多孔質材料等の他の吸音材又は高比重材、及びこれらの組み合わせであってもよい。また、共鳴防止材に限定されるものでもなく、防振材であってもよい。
【００２６】
［第３実施形態］
本発明の第３実施形態としてのレンズ鏡筒について説明する。第３実施形態において、第１実施形態と同様な部分については、同一の符号を使用し、その説明を省略する。
【００２７】
図６は、第３実施形態における、モータ取付部１２の断面図である。図示するように、第３実施形態では、第１実施形態と異なり、固定部材が設けられておらず、したがって固定部材と端面１０とを留めるネジも存在しない。第３実施形態においては、端面１０におけるモータ５と対向する部分、すなわちｚマイナス方向から見たときにモータ５と重なる部分に、ｚマイナス方向からみた形状が略矩形の貫通孔４０が設けられている。
【００２８】
第３実施形態においても、第１及び第２実施形態と同様に、モータ５は、駆動されると振動する。しかし、端面１０におけるモータ５と対向する部分には貫通孔４０が設けられているため、モータ５が振動しても、その振動によりモータ５と対向する部分が共鳴することはない。したがって端面１０により発生する共鳴音を低減することができる。
【００２９】
（第３実施形態の変形例）
第３実施形態は、上述の構成に限定されることなく、種々の変形や変更が可能である。
【００３０】
（１）第３実施形態では貫通孔４０を矩形としたが、これに限定されず、円形、楕円形等他の形状であってもよい。また、第３実施形態では、貫通孔４０を１箇所に設けたが、例えば、図７に示すように複数の貫通孔４０ａを設けてもよい。また複数の貫通孔４０ａを設ける場合、数、形状、配置も限定されず、例えばメッシュ状に設けることもでき、また細長い貫通孔を互いに平行に並べて配置してもよい。
【００３１】
（２）更に貫通孔４０には、第２実施形態で説明した発泡樹脂部材等を含む吸音材、防振材、又は高比重材及びこれらを組み合わせた共鳴防止部材を挿入することもできる。
【実施例】
【００３２】
上述の第１実施形態〜第３実施形態の効果を調べるため、実施形態における端面１０に相当する所定形状の基板を準備した。その基板にモータ取付部を設け、モータ取付部にモータが取り付けられたモータ支持部を載置してネジ止めした。
【００３３】
そして、以下の４つの場合についてモータを回転させて基板より発生する共鳴音を測定した。
（１）基板に貫通孔等設けず、また吸音材等配置しない場合（比較例）。
（２）第１実施形態に相当する、基板におけるモータと対向する部分を他部材とネジにより固定した場合。
（３）第２実施形態に相当する、基板とモータとの間に吸音材を配置してモータを回転させて基板より発生する音を測定した場合。
（４）第３実施形態の変形例に相当する、基板に貫通孔を設け、更にその貫通孔に吸音材を配置してモータを回転させて基板周囲に発生する音を測定した。
その結果、現行品である(１)の場合に対し、（２）〜（４）の場合、それぞれ、基板より発生する共鳴音が５ｄＢＡ減少した。
【００３４】
（本発明の変形例）
本発明は、以上説明した各実施形態に限定されることなく、種々の変形や変更が可能であって、それらも本発明の均等の範囲内である。
【００３５】
（１）上述の第１実施形態〜第３実施形態は、レンズ鏡筒１に関するものであったが、本発明はこれに限らず他の光学装置にも適用することができる。また、レンズ鏡筒１に適用する場合にもズーム駆動用のモータ５に限らず、フォーカス用のモータ５に適用してもよい。また、ＣＣＤなどの撮像素子や光学ＬＰＦに付着したゴミをとるための振動を発生させるモータ５、絞り、シャッターなどの機構を駆動するためのモータ５などに適用してもよい。
【００３６】
（２）また、上述の第１実施形態〜第３実施形態において、モータ５と対向する端面は、モータが取り付けられている部材の一部分であるが、これに限定されない。共鳴防止部はモータと対向するあらゆる板状部分に設けられることができる。
【００３７】
（３）第１実施形態〜第３実施形態及びそれらの変形例は、それらを単独で実施する場合のみならず、それらを適宜組み合わせて用いることもできる。
【図面の簡単な説明】
【００３８】
【図１】第１実施形態のレンズ鏡筒を備えるカメラの概略図である。
【図２】第１実施形態のレンズ鏡筒における、端面のモータ取付部周辺の一部断面図である。
【図３】第１実施形態のレンズ鏡筒の変形例における、端面のモータ取付部周辺の一部断面図である。
【図４】第１実施形態のレンズ鏡筒の変形例における、端面のモータ取付部周辺の一部断面図である。
【図５】第２実施形態のレンズ鏡筒における、端面のモータ取付部周辺の一部断面図である。
【図６】第３実施形態のレンズ鏡筒における、端面のモータ取付部周辺の一部断面図である。
【図７】第３実施形態のレンズ鏡筒の変形例における、端面のモータ取付部周辺の一部断面図である。
【符号の説明】
【００３９】
１：レンズ鏡筒、４：筒状部、５：モータ、１０：端面、２２：固定部材、２５：固定部材取付ネジ、３０：発泡樹脂部材、４０，４０ａ：貫通孔
【図１】
2008224989.tif 000003
【図２】
2008224989.tif 000004
【図３】
2008224989.tif 000005
【図４】
2008224989.tif 000006
【図５】
2008224989.tif 000007
【図６】
2008224989.tif 000008
【図７】
2008224989.tif 000009